Podtech/llm-jp-corpus-v4-ja_patent huggingface dataset:
(57)【要約】【課題】急須にも湯飲みにも使える器を提供する。【解決手段】上部に注ぎ口と窪みを設けた器の窪み部分に、フックを設けた茶葉入れのフックを合わせて固定することにより、急須にも湯飲みにも利用可能である。【選択図】図１
0003126722.tif 000002
【実用新案登録請求の範囲】
【請求項１】
上部に注ぎ口と窪みを設けた器の窪みの部分と、フックを設けたお茶を漉すための茶葉入れのフックの部分を、合わせて固定することにより構成することを特徴とする急須と湯飲みの器と蓋。
【請求項２】
上記、フックを設けたお茶を漉すための茶葉入れの、茶葉を入れる部分に茶漉し用の網を設け、開閉可能な扉を設け、扉を留める留め具を設けたことを特徴とする急須と湯飲みの器。
【考案の詳細な説明】
【技術分野】
【０００１】本考案は、急須にも湯飲みにも使える器に関するものである。
【背景技術】
【０００２】従来お茶を飲む場合は、急須にお茶の葉とお湯を入れ湯飲みに注いで飲むので、２個の器が必要である。【０００３】背景技術として、湯飲みの内側に茶漉し用の網を入れられるように濾過孔をつけた格納部の付いているのがある。（特許文献１を参照）【０００４】筒状の茶漉し用の網を湯飲みの縁に掛けたのと、湯飲みの内側を網で仕切りを付けてお茶を漉すのがある。（特許文献２を参照）
【特許文献１】実用新案登録第３１１５７６２号
【特許文献２】実用新案登録第３０４３４３３号
【考案の開示】
【考案が解決しようとする課題】
【０００５】お茶を飲むときは急須と湯飲みが必要で、急須にお茶の葉とお湯を入れ、湯飲みに注ぐと一人分の分量が分かりずらく、急須はお茶を注ぐ、湯飲みはお茶を飲むためだけにしか使えず、お茶を飲んだ後は急須と湯飲みを洗わなければならない。又特許文献１のように湯飲みの内側に取り外しの出来ない格納部が付いていると、お茶を飲むときに飲みずらく気になり。特許文献２の場合はお茶を飲むだけで急須として使うことは出来ない。又蓋が無いのでお茶を蒸らすことが出来ず、茶漉し用の網を湯飲みの縁に掛けただけなので、安定しなく、蓋が有ったとしても隙間が出来るので、しっかりと蒸らすことが出来ない。【０００６】本考案は、このような従来の問題を解決しようとするもので、急須にも湯飲みにも使える器を提供する。
【課題を解決するための手段】
【０００７】上部に注ぎ口１と窪み２を設けた器（Ａ）と蓋。【０００８】フック３を設けたお茶を漉すための茶葉入れの、茶葉を入れる部分に茶漉し用の網４を設け、開閉可能な扉５を設け、扉を留める留め具６を設けた茶葉入れ（Ｂ）【０００９】上部に注ぎ口と窪みを設けた器（Ａ）の窪み２に、フックを設けた茶葉入れ（Ｂ）のフック３を合わせて固定することにより構成する急須と湯飲みの器
【考案の効果】
【００１０】上部に注ぎ口と窪みを設けた器（Ａ）の窪み２と、フックを設けた茶葉入れ（Ｂ）のフック３を合わせて固定することにより、窪みの中にフックが入るので出っ張りが無く蓋が出来、フックを設けた茶葉入れ（Ｂ）にお茶の葉とお湯を入れ、蓋をしてお茶を蒸らし、注ぎ口１から注いで急須として使え、注ぎ口の反対側から飲むと湯飲みとしてお茶を飲むことが出来るので、急須と湯飲みに使うことが出来る。
また、茶葉入れにお茶の葉を入れたまま飲めるので、お茶の成分茶カテキンをしっかりと摘出し健康にも良い。ただし茶葉入れが気になる場合、お茶の渋味が嫌な場合は取り外して飲むことも出来、裏返しに置いた蓋に茶葉入れを置くとテーブル等が濡れたりしない。
【考案を実施するための最良の形態】
【００１１】上部に注ぎ口１を設け、フックを設けた茶葉入れ（Ｂ）のフック３が合うように窪み２を設けた器（Ａ）と蓋【００１２】上部に注ぎ口と窪みを設けた器（Ａ）の窪み２に合わせて固定できるようにフック３を設けた茶葉入れの、茶葉を入れる部分に茶漉し網４を設け、上部はお茶の葉が入れられるように開け、お茶を飲んだ後お茶の葉を捨てやすいように開閉可能な扉５を設け、扉を留める留め具６を設けた茶葉入れ（Ｂ）。
本考案は、以上の上部に注ぎ口と窪みを設けた器（Ａ）の窪み２と、フックを設けた茶葉入れ（Ｂ）のフック３を合わせて固定することで構成する急須と湯飲みの器と蓋。
【実施例】
【００１３】本考案を使用するときは、注ぎ口と窪みを設けた器（Ａ）の窪み２と、フックを設けた茶葉入れ（Ｂ）のフック３を合わせて固定し、茶葉入れ（Ｂ）にお茶の葉とお湯を入れ、蓋をしてお茶の葉を蒸らし、急須として使用するときは注ぎ口１から注ぎ、湯飲みとして使用するときは茶葉入れ（Ｂ）を入れたまま注ぎ口の反対側からお茶が飲める。
お茶を飲むのに茶葉入れ（Ｂ）が気になるときは取り外すことが出来、又お茶の渋味が嫌なときは、茶葉入れ（Ｂ）を早めに取り出すと渋味が出なく、裏返しに置いた蓋の上に茶葉入れを置くとテーブル等を濡らすことはなく、又お茶の葉を捨てるときは５の扉を開けて簡単に捨てられる。
【産業上の利用可能性】
【００１４】本考案は、急須と湯飲みの器１つで急須にも湯飲みにも利用可能である。
【図面の簡単な説明】
【００１５】
【図１】本考案の斜視図
【図２】本考案の断面図
【図３】本考案の分解斜視図
【図４】本考案の蓋をした図１のＡ−Ａ線の断面図
【符号の説明】
【００１６】（Ａ）注ぎ口と窪みを設けた器
（Ｂ）フックを設けた茶葉入れ
１  注ぎ口
２  窪み
３  フック
４  茶漉し網
５  開閉可能な扉
６  扉の留め具
【図１】
0003126722.tif 000003
【図２】
0003126722.tif 000004
【図３】
0003126722.tif 000005
【図４】
0003126722.tif 000006
【手続補正書】
【提出日】平成18年8月10日(2006.8.10)
【手続補正１】
【補正対象書類名】実用新案登録請求の範囲
【補正対象項目名】請求項２
【補正方法】変更
【補正の内容】
【請求項２】
上部に注ぎ口と窪みを設けた器の窪みの部分と、フックを設けたお茶を漉すための茶葉入れのフックの部分を、合わせて固定することにより構成することを特徴とする請求項１の急須と湯飲みの器と蓋の、フックを設けたお茶を漉すための茶葉入れの、茶葉を入れる部分に茶漉し用の網を設け、開閉可能な扉を設け、扉を留める留め具を設けたことを特徴とする急須と湯飲みの器と蓋。
(57)【要約】      （修正有）【課題】一体化にする時にハンガーとナットの接合部をいかにスムーズに回転させるかハンガーとナットの隙間があるとレベルが出ない為、隙間はないようにする、アクリル系のストッパーをどのように装着するか。本考案は、作業時間の短縮、コストダウンを解決する為にハンガーにナットを装着し楽に早く使用できるようにしたフリーホールハンガーを提供する。【解決手段】プレス加工事にスムーズに回るようにプレスの強さを調節するナットの間にワッシャを入れ、ハンガーとナットを一体化にしてアクリルストッパーを付ける。【選択図】図１
0003126730.tif 000002
【実用新案登録請求の範囲】
【請求項１】
建築の鋼製下地材で天井を組む時に使用する、ナットとハンガーを一緒にした、フリーホールハンガー。
【考案の詳細な説明】
【技術分野】
【０００１】本考案は、作業時間の短縮、コストダウンを解決する為にハンガーにナットを装着し楽に早く使用できるようにしたものである。
【背景技術】
【０００２】従来は、ハンガー１個とナット２個が別になっていて一体化した物は無かった。
【考案の開示】
【考案が解決しようとする課題】
【０００３】吊りボルトを作る為にナットとハンガーを回したり入れたり手作業で作り、本数が多いとかなり時間のロスになります、天井のレベルを出しナットをスパナで締める作業があるし天井に振動が伝わるとナットが緩んで水平でなくなる。
【課題を解決するための手段】
【０００４】ハンガーとナットを一体化にしてアクリルストッパーを付ける。
【考案の効果】
【０００５】一体化したので電動ドリル等でナットを回せば楽に上げ下げが可能でレベル出しも出したい位置まで回しそこで止めればストッパーが装着してあるので自動的にレベルがきまる、作業の能率アップにもなり、材料発注時にも別々にしなくてすむし、コストダウンになる。
【図面の簡単な説明】
【０００６】
【図１】本考案のフリーホールハンガーの斜視図
【図２】従来天井組の斜視図とハンガー部分の拡大図
【図３】アクリルストッパー取り付け部分の斜視図
【符号の説明】
【０００７】▲１▼  考案したフリーホールハンガー
▲２▼  従来のナット
▲３▼  従来のハンガー
▲４▼  従来の吊りボルト
▲５▼  アクリル系ブレ止め
【図１】
0003126730.tif 000003
【図２】
0003126730.tif 000004
【図３】
0003126730.tif 000005
(57)【要約】【課題】家庭園芸、農業、造園等の分野において地面に支柱を立てて作物、樹木や各種被覆材、侵入防止材等を支える場合、風等でしばしば支柱が倒れるので、支柱の倒伏抵抗力を向上することが求められている。【解決手段】本考案は、選択図に示すごとく、切り込み１を設け直角におれ曲げた鉄板からなる支柱固定器具２個で支柱を囲むようにして互いに組み合わせた後、支柱に沿って土中に打ち込み支柱保持部分２で支柱を保持することによって、支柱の倒伏抵抗力を大幅に向上することにより、課題を解決するものである。【選択図】図４
0003126721.tif 000002
【実用新案登録請求の範囲】
【請求項１】
切り込みを設け直角に折れ曲げた鉄板で、図１、図２および図３によって示す構造をしており、この２個を図４に示すごとく、支柱保持部分で両方から支柱を囲むようにして互いに組み合わせた後、支柱に沿って土中に打ち込み、２個の倒伏防止器具が形成した支柱保持部分で支柱を保持することによって、支柱の倒伏抵抗力を大幅に向上できる構造の支柱倒伏防止器具。
【考案の詳細な説明】
【技術分野】
【０００１】
本考案は、家庭園芸、農業、造園等の分野において地面に支柱をたてて作物、樹木や各種被覆材、防風材、侵入防止材等を支える支柱の倒伏抵抗力を向上するための、取り扱い容易な支柱倒伏防止器具に関するものである。
【考案の開示】
【課題を解決するための手段】
【０００２】
本考案の支柱倒伏防止器具は、図１、図２および図３に示すごとく、切り込み１を設け直角に折れ曲げた鉄板よりなり、この２個を図４に示すごとく、支柱保持部分２で両方から支柱４を囲む様にして互いに組み合わせた後、支柱４に沿って土中３に打ち込み、2個の支柱倒伏防止器具５が形成した支柱保持部分２で支柱４を保持することによって、支柱４の倒伏抵抗力を大幅に向上できる構造の器具である。
【考案の効果】
【０００３】
本考案の支柱倒伏防止器具は、家庭園芸、農業、造園等の分野において地面に立てて使用するあらゆる支柱に容易に適用することができ、支柱だけを地面にたてた場合に比べ支柱の倒伏抵抗性大幅に向上することが出来る。さらに、支柱倒伏防止器具は軽量であり構造も簡単なので使用にあたっての作業が容易である。
支柱撤去の場合には、支柱倒伏防止器具は回収して再使用することが可能である。
本考案による支柱倒伏防止器具は、構造が簡単なので同じ方向に重ね合わせるとコンパクトになり梱包輸送にも適している。
【図面の簡単な説明】
【０００４】
【図１】平面図
【図２】右側面図
【図３】斜視図
【図４】組み立て見取り図
【図５】本考案による支柱倒伏防止器具の一適用例の説明図
【符号の説明】
【０００５】
１  切り込み
２  支柱保持部分
３  土
４  支柱
５  支柱倒伏防止器具
６  樹木
【図１】
0003126721.tif 000003
【図２】
0003126721.tif 000004
【図３】
0003126721.tif 000005
【図４】
0003126721.tif 000006
【図５】
0003126721.tif 000007
【手続補正書】
【提出日】平成18年8月3日(2006.8.3)
【手続補正１】
【補正対象書類名】実用新案登録請求の範囲
【補正対象項目名】請求項１
【補正方法】変更
【補正の内容】
【請求項１】
長方形の鉄板を長手方向の中央部で直角に曲げ、さらにその両側の鉄板を端の近傍で中央部とは反対の方向にそれぞれ曲げ、中央部の直角に曲げたところから所定の位置２箇所に切り込み１を設けた構造の支柱倒伏防止器具を、２個用いて支柱保持部分２で両方から支柱を囲むようにして、互いの背同士を切り込み１の部分で組み合わせた後、支柱に沿って地中に打ち込み、２個の倒伏防止器具が形成した支柱保持２部分で支柱を保持することによって、支柱の倒伏抵抗力を大幅に向上できる構造の支柱倒伏防止器具。
(57)【要約】【課題】  従来の置き畳は、その大きさが半畳大であることと併せて、重く持ち運びに不便であり店頭販売しにくく、もっばら受注により配送するなどの必要があった、そこで本考案は、実際の畳の風合いを保持するために、必要な厚みを確保し、かつ持ち運びやすい、フローリング用置き畳を提供することを目的としている。【解決手段】  上記課題を解決ために本考案は、芯となる畳床材２と、この畳床材２の表面を覆うように貼着された畳表材３からなる置き畳１において、該置き畳１を同じ大きさで、任意の数に分割した、畳ユニット４を設け、この任意の数に分割した、畳ユニット４を其々ヒンジ板５を介して、折り畳み可能に接合したもので、前記畳ユニット４同士を、端部を平行に配置した状態でヒンジ板５により折り畳み可能に接合したものである。【選択図】図１
0003126728.tif 000002
【実用新案登録請求の範囲】
【請求項１】
芯となる畳床材２と、この畳床材２の表面を覆うように貼着された畳表材３からなる置き畳１において、該置き畳１を同じ大きさで、任意の数に分割した、畳ユニット４を設け、この任意の数に分割した、畳ユニット４を其々ヒンジ板５を介して、折り畳み可能に接合したことを特徴とする置き畳。
【請求項２】
前記畳ユニット４は、ほぼ同寸で同型の大きさに形成され、任意の数を一組とし、該一組を展開状態にし、置き畳１と成ることを特徴とする請求項１記載の置き畳。
【考案の詳細な説明】
【技術分野】
【０００１】  本考案は住宅においてフローリングなどに、置いて使用する置き畳に関する。
【背景技術】
【０００２】  従来の畳は、主に和室の床材として使用されていたが、近年は、生活スタイルの変化から和室が減りフローリングによる洋室が増えており、それにともない床材としての畳の需要も減少していた、しかし、畳の持つ癒しや調湿などの効果が見直されるようになり、最近は、フローリング用の置き畳や、寝台、座布団などが使用されるようになってきた。【０００３】  前記の置き畳は、畳床材の表面に畳表材を積層したものであり、一般に半畳の物を１枚としてこれらを間取りに応じて複数枚設置するもので、前記フローリングの一部に、和室的な雰囲気が得られ、日本的な室内装飾を演出するための敷物として好適であり、保温性，遮音性にも富む利点があった。
【考案の開示】
【考案が解決しようとする課題】
【０００４】  しかしながら、従来の置き畳は、次のような課題があった。【０００５】  芯材としては、樹脂発泡体、合板など木質系、プラスチック製段ボール、またはこれらの組み合わせがあるが、実際の畳の風合いに類似させるためにクッション性と剛性を両立させる必要があることから、厚みが厚く重くなるため、その大きさが半畳大であることと併せて、持ち運びに不便であり店頭販売しにくく、もっぱら受注により配送するなどの必要があるほか、収納時には場所をとっていた。【０００６】  そのため置き畳には、厚みを薄くした物も有ったが、敷設時や収納時にそりが生じやすい欠点があり、踏み圧などによっても経時的にそりが増大し易く、余り薄くすることは出来なかった。【０００７】  そこでこの考案は、実際の畳の風合いを保持するために、必要な厚みを確保し、かつ持ち運びやすい、フローリング用置き畳を提供することを目的としている。
【課題を解決するための手段】
【０００８】  上記目的を達成するため、この考案は、芯となる畳床材２と、この畳床材２の表面を覆うように貼着された畳表材３からなる置き畳１において、該置き畳１を同じ大きさで、任意の数に分割した、畳ユニット４を設け、この任意の数に分割した、畳ユニット４を其々ヒンジ板５を介して、折り畳み可能に接合したもので、前記畳ユニット４同士を、端部を平行に配置した状態でヒンジ板５により折り畳み可能に接合したことによって、ヒンジ板５を介して折り畳んだ状態にして、容易に持運び収納できるものである。【０００９】  前記畳ユニット４は、ほぼ同寸で同型の大きさに形成され、任意の数を一組とし、該一組を展開状態にし、置き畳１と成るもので、前記各畳ユニット４は、ほぼ置き畳１の大きさを、任意の数分の１の大きさに形成され、展開状態でほぼ置き畳１となることが好ましいものである。【００１０】  前記各畳ユニット４は、端部に設けられたヒンジ板５を介して１８０°に折り曲げることができ、畳ユニット４同士の端部が同一線上となり、展開状態においては、各畳ユニット４は面一となる。
このように、持ち運ぶ際には、折り畳んでコンパクトにし、展開状態で従来の置き畳と同一の規格となるものである。
【考案の効果】
【００１１】  この考案によるフローリング用置き畳にあっては、必要な厚み確保しつつ、持ち運びあるいは収納時にはヒンジ板を介して折り畳んで、容易に持ち運ぶことができるため、運搬，収納に便利となり、またこれによって受注販売だけでなく、店頭販売が可能となる。
また、厚みがあるため反りが生じにくく耐久性に富み、展開し、フローリングに設置した状態では本物の敷き畳と同様な風合いを得ることができる。【００１２】  畳ユニットの折り返し端部をシャープに折り曲げることができ、角部の形状をシャープに造形できる。【００１３】  畳ユニットの端部が同一線上となり、展開状態でヒンジ板接合部分の隙間を閉じることができる。【００１４】  展開状態において置き畳の裏面側は面一となるため、設置安定性を充分確保でき、このように本考案の置き畳は、運搬性を確保しつつ、従来の置き畳と同一の規格となるため、一枚あたりの設置面積も充分に確保できるといった利点がある。【００１５】  また、上記、置き畳は、一組の畳ユニットの数を６枚、８枚、１０枚、２０枚等、必要に応じて任意の数を設けることで、どんな広さにも対応出来るものである。
【実施例】
【００１６】  図において、この置き畳は、ほぼ４分の１の大きさに形成された一対の各畳ユニット４をヒンジ板５を介して折り畳み可能に接合したものである。【００１７】  各畳ユニット４は、芯となる畳床材２と、この畳床材２の表面を覆うように、貼着された畳表材３から成っており、端部に縫着された、ヒンジ板５を介して折り畳可能に接合されている。【００１８】  したがって、畳ユニット４は、畳表材３側を表面に露出した状態でヒンジ板５を介して四つ折り状態に折り畳んで収納，搬送できる。【００１９】  また、上記、置き畳は、畳ユニット４の数を６枚、８枚、１０枚、２０枚等、必要に応じて、任意の数を設けるものである。【００２０】  以上の構成の置き畳１は、折り畳んだ状態で持ち帰ることができ、店頭販売により気軽に購入できる。展開時においては畳ユニット４間の接合部は隙間なく閉じられ、展開することで１の畳として機能し、複数枚の組み合わせによって和風的な室内を容易に構成することができる。
【図面の簡単な説明】
【図１】この考案にかかる置き畳の組立姿図である。
【図２】この考案にかかる置き畳の断面図である。
【符号の説明】
１  置き畳
２  畳床材
３  畳表材
４  畳ユニット
５  ヒンジ板
【図１】
0003126728.tif 000003
【図２】
0003126728.tif 000004
(57)【要約】      （修正有）【課題】本考案は汚れのひどい洗濯物や靴、あるいは自転車や自動車のタイヤ等対象物を特定しないあらゆる汚れ部分を落す洗浄用具の提供。【解決手段】本考案は少なくとも一端が円錐形状からなり、表面にくぼみを形成させてなる棒材に化学繊維でつくられた魚網が巻き付けられ固着材をもって止められてある事を特徴とする洗浄具。【選択図】図１
0003126759.tif 000002
【実用新案登録請求の範囲】
【請求項１】
少なくとも一端が円錐形状からなり、表面にくぼみを形成させてなる棒材に化学繊維でつくられた魚網が巻き付けられ固着材をもって止められてある事を特徴とする洗浄用具。
【考案の詳細な説明】
【技術分野】
【０００１】  本考案は汚れのひどい洗濯物や靴、あるいは自転車や自動車のタイヤ等対象物を特定しないあらゆる汚れ部分を落す洗浄用具に関する。
【背景技術】
【０００２】  従来、運動靴や上ばき等を洗う時には、亀の子だわしに柄のついた物やハケのついた物で汚れを落すのが主流であった。
なお、関連技術に下記物件もある。
【特許文献１】  特開    ２００２−２９１５３５号公報
【特許文献２】  実開昭  ６３−０３９３７０号公報
【特許文献３】  登録実用新案  ３０５０６２４号公報  上記特許文献１では、芯棒から多数本のパイルを放射状に伸ばしたブラシ部を有するブラシであって該ブラシ部には全体的にネットが被覆されていることを特徴とする洗浄用ブラシが記載されていた。
また特許文献２では、棒状の把手先端に突出した弾力性のある屈曲自在の扁平台盤を有し扁平台盤全体に厚手の合成樹脂繊維の不織布で覆われ、さらにこの不織布全体は、合成樹脂繊維糸のネットで覆われた食器等の洗浄具が記載されていた。
さらに特許文献３では、全表面に洗濯板のような波状の凹凸の先端を丸くしたものを付けて爪先とかかとを強調させた形にした靴下洗濯用用具に汚れた靴下をはかせ、ブラシでこすってきれいにする靴下の洗濯用具が記載されていた。
なお同様の考えに基づいた特開２００１−８７３１号公報や特開２００４−１３０２０９号公報があった。
【考案の開示】
【考案が解決しようとする課題】
【０００３】  以上に述べた従来の洗浄用具で、靴洗い等を短時間できれいに汚れを落す為には、かなり力をいれないといけないので労働的負担であった。
特許文献１では、ブラシ全体が筒状体で、円錐形になっていないので、先端部が細かい所まで届かず汚れを落す事が出来ない。
また特許文献２では扁平台盤にネットを覆っている洗浄用具なので、平らな所しか汚れを落す事が出来ず、前記同様細かい所まで届かない為汚れを落す事が出来ない。
さらに特許文献３では、全表面が洗濯板のような波状でプラスッチック製なので、弾性力がなく、固いので布地等を傷める心配がある。
本考案では上記問題を生地等を傷めないで、しつこい汚れを短時間で落とし、さらに広い場所でも、狭く細かい場所でも片手で移動しながら作業性よく汚れを落すことを目的とするものである。
【課題を解決するための手段】
【０００４】  本考案は上記課題を解決するために、少なくとも一端が円錐形状からなり、表面にくぼみを形成させてなる棒材に化学繊維でつくられた魚網が巻き付けられ固着材をもって止められてある事を特徴とする洗浄用具。
【考案の効果】
【０００５】  本考案は上記構成から成るので以下に示す効果が期待できる。
１．  魚網は弾性材なので生地等を傷めず、さらに凹凸しているので摩擦力を利用し、しっかり汚れを落とす事ができる。
２．  棒材にくぼみをもうけることでしっかりと巻き付けられ外周の凹凸と魚網の凹凸とで汚れを落すのに二重の効果が期待できる。
３．  一端が円錐形状になっている為運動靴等の先端部までブラシが容易に行き届く。
４．  洗浄面を選ばないので一方向ではなく、多方向同時に洗浄できる。また、同じ状態で力をかけられる。
５．  広い場所でも、狭く細かい場所でも、片手で移動して洗浄できるので効率よく作業性が良い。
６．  魚網は耐水性よく泡立ちがよい。また丈夫なのでながもちする。傷んでも場所を替えて何度でも使用できる。
【考案を実施するための最良の形態】
【０００６】  以下本考案の実施の形態を図面を参照して説明する。
図１ないし図２に示すように一端に円錐につくられた棒材２にはその外周に複数のくぼみ４が形成されている。このくぼみ４は単体のくぼみでもよく、また螺旋形にしてもよい。その一端には把手３となる部分が棒状に作られている。この棒材２には、ナイロンやビニロンあるいはアクリル等の化学繊維からなる、魚網５が棒材２を覆うようにして巻き回して形成されており、このくぼみ４に嵌合する形で輪ゴム６やゴム紐７あるいは紐等の固着材で巻かれて止められている。またゴム紐７等で巻く場合には、円錐形の先端部に止め穴を設け紐の端部をダンゴにして止め、ゴム紐７等で魚網５をぐるぐる巻き付け、把手の部分に結ぶようにして止めている。【０００７】  また、ここで用いられる魚網５は太さが１ないし１．５ｍｍ程度で、網目は７〜１０ｍｍ程度が望ましい。さらに、棒材２は木や化学樹脂あるいは比較的軽いアルミ等の金属材で作られている。【０００８】  このような形の洗浄用具を片手に持ち、石鹸をつけ外側からゴシゴシ擦り汚れを落していく。そんなにきつく洗わなくても運動靴や上ばき等の汚れが短時間にしてきれいに落す事ができる。【０００９】  本考案は靴や自動車のタイヤ等に限らず、洗濯物、例えば運動着、作業着、しつこいワイシャツの襟や手首の汚れ、靴下等に洗剤をつけ上からゴシゴシ擦り汚れを短時間できれいに落すことが出来る。
また、この洗浄用具に汚れた靴下を履かせて水で少しぬらして洗剤をつけ、魚網を丸めてタワシをつくり、上からゴシゴシ擦って汚れを落してもよく、あるいは同一洗浄用具を用意し、これを上からゴシゴシ擦れば上下の摩擦力でしつこい汚れを短時間にきれいに落すことが出来る。【００１０】  さらに、この洗浄用具は魚網の網目の太さや間隔を替えて柔軟性を持たせれば、洗顔ブラシやボディブラシとして顔や体あらゆるものを洗うことも出来る。魚網は泡立ちが良いので、洗顔時に少ない量の石鹸で良質な泡が出来、女性に喜ばれる。また把手の長さを替えて背中をゴシゴシ洗えばマッサージ効果もあり、洗いにくい背中の汚れをきれいに落す事が出来る。そして台所でも風呂場等どこでも洗浄することは当然考えられる。【００１１】  本考案に記載した実施例では、固着材として、輪ゴム、ゴム紐を利用したが包帯止めのような形で、危険でないものであれば、何ら問題はない。
【図面の簡単な説明】
【００１２】
【図１】  本考案を輪ゴムで結んだ場合の正面図
【図２】  本考案をゴム紐で結んだ場合の正面図
【図３】  棒材の正面図
【図４】  図３のＡ−Ａ矢視図
【図５】  図３のＢ−Ｂ矢視図
【符号の説明】
【００１３】    １．洗浄用具
２．棒材
３．把手
４．くぼみ
５．魚網
６−１〜６−５．輪ゴム
７．ゴム紐
【図１】
0003126759.tif 000003
【図２】
0003126759.tif 000004
【図３】
0003126759.tif 000005
【図４】
0003126759.tif 000006
【図５】
0003126759.tif 000007
(57)【要約】【課題】  歯茎をいつでも気軽にかつ簡単容易にマッサージすることができると共にそのマッサージ効果を積極的に高めて歯槽膿漏を効果的に予防すること。【解決手段】  ハンドル部２と頭部３とローラー４とからなり、ハンドル部２の上部に頭部３が連結されると共に、頭部３の前部にローラー４が回転自由に支持され、かつ、頭部３内に振動器８が内蔵されて、振動器８の作動により、ローラー４が前後に振動して頬又は唇周りの上から歯茎を叩いてマッサージするようにしたことを特徴とする。【選択図】図１
0003126758.tif 000002
【実用新案登録請求の範囲】
【請求項１】
ハンドル部と頭部とローラーとからなり、ハンドル部の上部に頭部が連結されると共に、頭部の前部にローラーが回転自由に支持され、かつ、頭部内に振動器が内蔵されて、振動器の作動により、ローラーが前後に振動して頬又は唇周りの上から歯茎を叩いてマッサージするようにしたことを特徴とする歯茎マッサージ器。
【考案の詳細な説明】
【技術分野】
【０００１】  本考案は、歯茎マッサージ器、詳しくは歯茎をマッサージして血行を良くし歯槽膿漏などを予防するための歯茎マッサージ器に関するものである。
【背景技術】
【０００２】  一般に、老齢化に伴う歯槽膿漏を予防する手段としては、たとえば歯磨き粉の成分に薬を混ぜてこの歯磨き粉により歯ブラシで歯や歯茎を磨いて血行を良くしたり、或いは、歯茎に薬を直接塗り付けたりして予防するようにすることが知られている。
【考案の開示】
【考案が解決しようとする課題】
【０００３】  ところが、上記した予防手段によれば、歯茎へのマッサージ効果が長期にわたって得られにくく、また、歯ブラシで口内の歯茎を磨く場合、その作業が老齢者にとっては非常に面倒であるばかりか、歯や歯茎等が露出して見栄えも悪く、そのため人前にていつでも手軽に行うというわけにはいかず、その結果、歯槽膿漏に対する予防効果が十分に得られていないのが現状である。【０００４】  そこで、本考案は、上記のような問題に鑑み、歯茎をいつでも簡単容易にマッサージすることができると共にそのマッサージ効果を積極的に高めて歯槽膿漏を効果的に予防することができる歯茎マッサージ器の提供を課題とする。
【課題を解決するための手段】
【０００５】  上記した問題を解決するために、本考案は、ハンドル部と頭部とローラーとからなり、ハンドル部の上部に頭部が連結されると共に、頭部の前部にローラーが回転自由に支持され、かつ、頭部内に振動器が内蔵されて、振動器の作動により、ローラーが前後に振動して頬の上から歯茎を叩いてマッサージするようにしたことを特徴とする。
【考案の効果】
【０００６】  本考案によれば、ローラーをマッサージしたい歯茎の上に位置する頬又は唇周りの上からに軽く押し当て、その状態で振動器を作動させることによりローラーを前後に振動させて歯茎を叩くようにマッサージすることができる。このように頬又は唇周りの上から歯茎をマッサージすることにより、周りの人に不快感を全く与えることなく歯茎をいつでも気軽にかつ簡単容易にマッサージすることができ、しかも、ローラーを前後に振動させて頬又は唇周りを叩いてマッサージすることにより歯茎に叩きによるマッサージを積極的に与えて効果的に血行を良くすることができ、これにより歯槽膿漏を効果的に予防することが可能となる。
【考案を実施するための最良の形態】
【０００７】  以下、本考案の実施の形態を図に基づいて説明する。
図１及び図２は本考案に係る歯茎マッサージ器を示すもので、マッサージ器１は、ハンドル部２と、ハンドル部２の上部に設けられる頭部３と、頭部３前面に設けられるローラー４とからなる。ハンドル部２と頭部３とはスプリング等の適宜弾機（図示せず）により伸縮及び揺動可能に連結されている。なお、弾機部分は蛇腹状のカバー５が設けられている。【０００８】  そして、ハンドル部２には電源となる電池６が内蔵されていると共に、前面にスイッチ７が設けられている。また、頭部３には振動器８が内蔵され、振動器８は上記スイッチ７を介して電池６に接続されている。頭部３は樹脂製のローラー４を回転自由に支持している。ローラー４は樹脂製でローラー４の外周には幅方向に延びる複数の突部４ａが設けられている。また、振動器８は基本的にはその作動により頭部３、つまりローラー４を前後にやや低速で大きめに振動させ、ローラー４で頬又は唇周りの上から歯茎を叩いてマッサージするように構成されている。【０００９】  次に、上記した歯茎マッサージ器１の作用について説明する。
まず、ハンドル部を持ち、例えば図１の仮想線で示すようにローラー４をマッサージしたい歯茎の上に位置する頬又は唇周りの上に軽く押し当て、その状態でスイッチ７をオンして振動器８を作動させる。この振動器８の作動によりローラー４が前後に振動して頬又は唇周りの上から歯茎を叩くようにマッサージすることができる。このように頬又は唇周りの上からローラー４で歯茎をマッサージすることにより、周りの人に不快感を全く与えることなく歯茎をいつでも気軽にかつ簡単容易にマッサージすることができる。しかも、ローラー４を前後に振動させて頬又は唇周りの上から歯茎を叩いてマッサージすることにより、歯茎に叩きによるマッサージを積極的に与えて効果的に血行を良くすることができ、これにより歯槽膿漏を効果的に予防することが可能となる。【００１０】  また、上記ローラー４には、複数の突起４ａが設けられているのでローラー４を顔に対して上下動させることによりローラー４を円滑に回転させることができると共に、突起４ａにより、歯茎への叩きによるマッサージに多少の変化も与えることができる。【００１１】  なお、上記したローラー４は樹脂製のものに限られるものではなく、例えばゴム製等であってもよいし、また、突部４ａに代えて例えば多数の粒状突起を設けてもよいし、或いは突部４ａや突起を設けない形状としてもよい。さらに、振動器８は上記したように前後に叩く基本振動の他、例えば高速で微細にバイブ振動できるようにスイッチ７及び振動器８にそれぞれ適宜切替機構や振動機構を設けて、選択的に切替可能に構成してもよい。【００１２】  また、電源としては、上記したように電池６を用いる他、たとえば電池６に代えて電気コード（図示せず）を設け、電気コードを家庭用の電源（コンセント）に接続して電気により振動器８を作動させるように構成してもよいことは勿論である。
【図面の簡単な説明】
【００１３】
【図１】  本考案に係る歯茎マッサージ器の側面図である。
【図２】  同歯茎マッサージ器の正面図である。
【符号の説明】
【００１４】  １          歯茎マッサージ器
２          ハンドル部
３          頭部
４          ローラー
８          振動器
【図１】
0003126758.tif 000003
【図２】
0003126758.tif 000004
(57)【要約】【課題】  従来の湯沸器は内臓に燃焼室を組み込んだものが多く、直型煙突式であり煙突から外部に放熱し温度のムダが多い製品であった。本考案は、煙道をらせん状に作る事により熱量を多く吸収することを考えた湯沸器である。又、豪雪地での除雪としての雪の整理も兼ねた溶雪器でもあり、溶かした水を再利用する。【解決手段】  管体タンク（１）に水及び雪を入れて炊口（６）よりバ−ナ−、その他の熱気を入れて煙道内を熱い煙を通し、タンク（１）内の水を温めて排水口（５）より外部に排出する。【選択図】図２
0003126752.tif 000002
【実用新案登録請求の範囲】
【請求項１】
水を溜めるタンク（１）の内部（７）に螺旋状の煙道（２）を設け前記煙道（２）の入口部（６）はタンク（１）の下部に接続し、煙排部（３）はタンクの上蓋部（８）より突出してあり、上蓋部（８）には注水口（４）が、タンク（１）の下部には排水口（５）が設けてあることを特徴とする螺旋式煙道湯沸かし器。
【考案の詳細な説明】
【技術分野】
【０００１】  本考案は、水を溜めるタンクの内部に煙突、煙道をらせん状に組み込み、従来の煙突式のように煙道を外に長く突き出して煙を外部に放出していたものをらせん式にし、煙道の長さを利用し水分を温める時間を長くさせ、煙の排出も少なく省エネにもなり効果的である。
【背景技術】
【０００２】  従来の湯沸器は、管体タンク内部に縦型に燃焼室を作り直型の煙突タイプが多かった。本考案湯沸器は、従来品に勝る製品であり考案である。
【考案の開示】
【考案が解決しようとする課題】
【０００３】  従来の湯沸器は縦型煙突式が多く、本考案の煙道をらせん状にし煙道を通る熱気をムダなく水温に利用するためかなりの温度上昇の効果がある。又  燃料の軽減にもなる。
【課題を解決するための手段】
【０００４】  煙道をらせん状に考えたのは、煙道内の煙の温度の熱を有効に水に放熱させ水温の上昇を大にする役目にした。煙道の掃除は、水圧ホースで洗浄するため容易で問題もなく省エネ効果も大である。
【考案の効果】
【０００５】  本考案は、豪雪地帯の雪を溶かすことを考えたのが発案の始めであり、建物その他が積雪から解放され、さらに除雪した雪を湯沸器として再利用できるよう除雪と水の利用として二重の利点がある。
【考案を実施するための最良の形態】
【０００６】  本考案品は作りが簡易であるため技術的問題も少なく、使用も容易である。
【実施例】
【０００７】  注水口（４）より水を注入してタンク内部（７）に溜める。煙道の入口（６）から煙がらせん状の煙道（２）を通り、煙排気部（３）から出る。この作用によりタンク内部（７）の水が熱せられてお湯となる。
【図面の簡単な説明】
【０００８】
【図１】  管体の正面図である。
【図２】  管体内部のらせん状の組込図である。
【図３】  管体の上部からの断面図である。
【符号の説明】
【０００９】１    管本体
２    らせん式煙道管
３    煙突
４    給水口
５    排水口
６    バ−ナ−炊口
７    水
８    上蓋
【図１】
0003126752.tif 000003
【図２】
0003126752.tif 000004
【図３】
0003126752.tif 000005
(57)【要約】      （修正有）【課題】幼児、お年寄り、体の不自由な方など、利用者の転倒時、衝突時の頭部への衝撃を和らげ、着用による身体への負担が少ない、ファッション性に優れた頭部保護用バンダナを提供する。【解決手段】頭部保護具は、布製などのバンダナ本体１の内部に、ゲル材などでできた軽量な衝撃吸収材２を内部に挟み込むことで、転倒時の衝撃を吸収する。【選択図】図１
0003126711.tif 000002
【実用新案登録請求の範囲】
【請求項１】
頭部をぶつけた際に、衝撃を吸収し保護することができ、且つ、非常に軽くて、常時着用に適するという特徴を有する頭部保護用バンダナ
【考案の詳細な説明】
【考案の詳細な説明】
【技術分野】
【０００１】  本考案は、幼児やお年寄り、体の不自由な方などの転倒時、床面や路面、建物等の硬い物体に頭部をぶつけた際、ぶつける頻度の高い頭部前後部と側部を保護することを目的とし、且つ、ヘルメットのように重くて通気性が悪く、当人が着用しづらいという難点を克服するため、着用が簡単で長期着用に向く、軽量且つ衝撃吸収性に優れた頭部保護用バンダナに関する。
【背景技術】
【０００２】  従来例えば、転倒時の頭部保護用としてヘルメットがあるが、頑丈なわりには重くて、長時間の着用が身体に疲労を引き起こすものであった。また帽子の中に装着するインナーで、軽くてヘルメットに似た硬度の高いものもあるが、外れやすく、サイズの変更があまり自由にならない、帽子をかぶらなくてはならないので屋内では着用しにくい、衝撃をあまり吸収しないなどの難点があった。その他には鉢巻や通常のバンダナを巻くことも考えられるが、いずれも頭部保護を目的としたものがなかった。また室内での転倒時の頭部保護の方法としては床面に絨毯や畳など柔らかな素材を用いるなど、比較的大掛かりでかつ行動範囲を限定する必要があった。
【考案が解決しようとする課題】
【０００３】    幼児やお年寄り、体の不自由な方などが屋内・屋外に関わらず立ち上がったり、歩行したりする際にバランスを崩すと、手をつくなどして身を守る行為が成されない場合がある。こうした際、頭部を硬い物質にぶつけると、人体に大きな影響を与えかねない。
【０００４】    これらの事故による被害を抑えるために、ヘルメットなどを常時着用すると、体の弱い人にはその重さが身体の負担になる。またこうしたものは自然にずれたり外れたりしやすく、かえって危険になる場合もある一方、きっちりと取り付けようとすると、頭部を締め付けすぎることになり、これも身体の負担になる。
【０００５】    またヘルメットなど頭部全体を覆うような大げさなものでは、対外的にもあまり見栄えがよくないし、屋内では常時着用しにくいという難点もある。
【０００６】  また従来の鉢巻やバンダナでは衝撃を吸収するまでの機能はなく、あくまで飾りや髪を留めるだけの機能でしかなかった。
【０００７】  また逆に床面や柱などをフローリングやコンクリートなどに代えて、絨毯やカーペット、畳、クッションなどのやわらかな素材とし、転倒や衝突による衝撃を和らげようとすると、コストがかかり、かつ当人の行動範囲を限定する必要があった。
【０００８】  或いは、普段からこうした事故の危険性のある人を、常時他人が監視したり、付き添ったりして危険回避してあげることは、非常な時間と労力を必要とする。
【０００９】  そこで本考案の目的は、保護具材料を軽量で取り付けやすく、ずれにくいものにすることによって、幼児やお年寄り、体の不自由な方などへの着用が簡単で、且つ人体に負担がかからずに長時間着用でき、バンダナ風にしてファッション性を取り入れることで体外的な印象を改善し、かつ行動範囲を限定することなく、併せて保護者の常時監視を必要とするもことなく、転倒時などに頭部を常時保護する事を可能とするものにある。
【課題を解決するための手段】
【００１０】  上記の目的を達成するための、本考案による頭部保護具は、布製などのバンダナ本体１の内部に、ゲル材などでできた軽量な衝撃吸収材２を内部に挟み込むことで、転倒時の衝撃を吸収するものである。
【考案を実施するための最良の形態】
【００１１】  以下に本考案による、頭部保護用バンダナの具体的な構成の一例について、図１も参照しながら説明する。【００１２】  この保護具は、布製などのバンダナ本体１に対して、その中身にゲル材などでできた軽量な衝撃吸収材２を挟んだ構造とする。バンダナ自体はゴム４を入れることで伸縮可能とし、マジックテープ３をつけるなどして装着性を高め、またサイズ変更も可能なようにするとよい。さらに外れやすい場合はあご紐をつけてもよい。衝撃吸収材は分割して挟み込むことによって、よりサイズ変更や伸縮性に富ませるとよい。
【考案の効果】
以上の説明によって明らかな様に、本考案による頭部保護用バンダナを、幼児、お年寄り、体の不自由な方などに利用すれば、以下に列挙したごとき優れた効果が得られる。
（ａ）利用者の転倒時または衝突時、頭部への衝撃を吸収して和らげることができる。
（ｂ）利用者が常時着用できることで、保護者の付き添いや監視といった手間暇と労力        を軽減できる。
（ｃ）着用による利用者の体への負担になることが少なく、屋外・屋内を問わず、長期        着用を可能とする。
（ｄ）利用者や保護者が対外的な眼を気にすることがなく、ごく自然に着用できる。
（ｅ）利用者の身の回りを柔らかな素材にするなどといった、お金と労力を費やす必要        がなくなる。
（ｆ）利用者自身の行動範囲を広げることができる。
（ｇ）手軽で簡単に保護具が取り付けられる。
【図面の簡単な説明】
【図１】本考案による、頭部保護用バンダナの一例を示した鳥瞰図面である。
【図１】
0003126711.tif 000003
【手続補正書】
【提出日】平成18年8月1日(2006.8.1)
【手続補正１】
【補正対象書類名】実用新案登録請求の範囲
【補正対象項目名】全文
【補正方法】変更
【補正の内容】
【実用新案登録請求の範囲】
【請求項１】
布或いはナイロン製などのバンダナ内部にゲル材などでできた軽量な衝撃吸収材を挟み込む構造を有する頭部保護用バンダナ
(57)【要約】      （修正有）【課題】クリップ付きの台座に磁石を介してゴルフ用マーカーを着脱自在に取り付け、クリップを利用して台座を帽子や衣服に取り付けることによってマーカーの着脱が簡単にでき、マーカー本体はゴルフボールのパット位置におけるグリーンの傾き方向や傾き度合いを知ることができ、目標に向けてより的確なパットを行うことができる保持具付き水準器ゴルフ用マーカーを提供する。【解決手段】楕円形状の台座１の前部下方にクリップ２を設け、透明のプラスチック成型加工物でドーム形状に成型された水準器３付きゴルフ用マーカー６の下面中心部に磁石７を埋設し、前記楕円形状の台座１に水準器３付きゴルフ用マーカー６を着脱自在に設けたことを特徴とする。【選択図】図１
0003126717.tif 000002
【実用新案登録請求の範囲】
【請求項１】
クリップ付きの台座に磁石を介してゴルフ用マーカーを着脱自在に取り付け、マーカー本体は、ゴルフボールのパット位置におけるグリーンの傾き方向や傾き度合いを知ることができることを特徴とする保持具付き水準器ゴルフ用マーカー。
【考案の詳細な説明】
【技術分野】
【０００１】本実用新案は、クリップ付きの台座に磁石を介してゴルフ用マーカーを着脱自在に取り付け、クリップを利用して台座を帽子や衣服に取り付けることによってマーカーの着脱が簡単にでき、マーカー本体はゴルフボールのパット位置におけるグリーンの傾き方向や傾き度合いを知ることができ、目標に向けてより的確なパットを行うことができる保持具付き水準器ゴルフ用マーカーを提供する。
【背景技術】
【０００２】従来、ゴルフコースを巡る競技においては、グリーン上にゴルフボールが落下したとき、他の競技者の邪魔にならないよう、小型の１０円硬化程度のコインやコイン状のマーカー等を着衣のポケットから取り出し、ゴルフボールの変わりに置いて位置表示をしている。【０００３】パットを行う場合、グリーン上の複雑な傾斜状況を人間の視覚で予測している。
【考案の開示】
【考案が解決しようとする課題】
【０００４】従来使用されているゴルフ用マーカーは、使用する度にポケットから出し入れしなくてはならない煩わしさがあり、気付かないうちに落下し紛失する事態がしばしば発生する。
また、ゴルフコースは、起状に富むように造成されており、通常グリーンには複雑な傾斜面が生じていることから、ホールへのパットは難しくなっている。このため、マーカーを置いた位置からパットをするとき、ホールに向けて的確なパットを行うには、グリーンの傾き方向や傾き度合いをできるだけ正確に把握する必要がある。しかし、従来のグリーン上の複雑な傾斜状況を人間の視覚で予測する方法では、的確なパットを行うのは相当に難しいものである。本考案は、クリップ付きの台座に磁石を介して水準器付きゴルフ用マーカーを着脱自在に取り付け、クリップを利用して台座を帽子や衣服に取り付けることによってマーカーの着脱が簡単にでき、ゴルフボールのパット位置におけるグリーンの傾き方向や傾き度合いを正確に判断し、目標に向けて的確なパットを行うことができる保持具付き水準器ゴルフ用マーカーを提供することを目的とする。
【課題を解決するための手段】
【０００５】上記目的を達成するため本考案は、楕円形状の台座１の前部下方にクリップ２を設け、透明のプラスチック成型加工物でドーム形状に成型された水準器３付きゴルフ用マーカー６の下面中心部に磁石７を埋設し、前記楕円形状の台座１に水準器３付きゴルフ用マーカー６を着脱自在に設けたものである。
【考案の効果】
【０００６】上記のように構成された本考案には、次のような効果がある。
ａ．台座のクリップを利用してプレーに支障のない帽子や衣服に取り付けることによってマーカーの着脱が簡単にできる。
ｂ．マーカーは下面中心部に埋設された磁石によって台座に接着されているので紛失する恐れは全くない。
ｃ．マーカーは磁石によって着脱自在に台座に取り付けられているので、簡単に取り外してマーキングすることができ、マークを解除する時はマーカーを摘み上げてそのまま台座に接着させれば簡単に保持される。
ｄ．台座がクリップを利用して確実に帽子や衣服に取り付けられているので、台座に接着されているマーカーは紛失する恐れがないので、従来のように予備として複数個のマーカーを用意しておく必要はない。
ｅ．水準器の機能を有するゴルフボールマーカーは、ゴルフボールのパット位置におけるグリーンの傾き方向や傾き度合いを正確に判断でき、目標に向けて的確なパットを行うことができる。
【考案を実施するための最良の形態】
【０００７】以下、本考案の実施の形態を図面に基づいて説明する。【０００８】「図１」は磁石が接着する金属からなる薄い楕円形の台座で、この台座１の下部にクリップ２が帽子や衣服に取り付けやすい形状に設けられている。水準器３付きゴルフ用マーカー６は全体がドーム形状の中空になっている透明のプラスチック成型加工物で、表面には傾き方向や傾き度合いが判断できる十字型の目盛５が付けられている。ドーム形状の中には水またはこれに類する液体と気泡４が注入できるようになっており、なおかつ注入後は密封できるようになっている。【０００９】「図２」は水準器３付きゴルフ用マーカー６本体の底面図で台座１と接着できるよう、磁石７が下面中心部に埋設されている。【００１０】「図３」本考案の水準器３付きゴルフ用マーカー６上面図で、表面には傾き方向や傾き度合いが判断できる十字型の目盛５が付けられており、気泡４が注入されている。【００１１】「図４」本考案の水準器３付きゴルフ用マーカー６側面図で、ドーム形状の中空になっている透明のプラスチック成型加工物で十字型の目盛５が付けられており、気泡４が注入されている。
【図面の簡単な説明】
【００１２】
【図１】本考案の形状を示す分解斜視図
【図２】本考案の水準器付きゴルフ用マーカー底面図
【図３】本考案の水準器付きゴルフ用マーカー上面図
【図４】本考案の水準器付きゴルフ用マーカー側面図
【符号の説明】
１    台座
２    クリップ
３    水準器
４    気泡
５    目盛
６    ゴルフ用マーカー
７    磁石
【図１】
0003126717.tif 000003
【図２】
0003126717.tif 000004
【図３】
0003126717.tif 000005
【図４】
0003126717.tif 000006
(57)【要約】      （修正有）【課題】二胡を立奏するために使用するベルトは、主にプラスチックではさみこむものが多く、楽器の大きさに対応していない為、楽器にキズがついたり、音色が変わってしまう恐れがあった。本考案は、楽器二胡の立奏に於いて、楽器に対してキズを与えず、また楽器の大きさや体型、動きに応じて自由に調節でき、音色を損なわないネットを提供する。【解決手段】ネット状に編んだコード（紐）の上に楽器を置き、ベルト状に編み交差させた２本のコードにはさみ込む事である。【選択図】図１
0003126715.tif 000002
【実用新案登録請求の範囲】
【請求項１】
ベルト通しにくくりつけた楽器二胡立奏用ネット。
【請求項２】
金具をコード（紐）で覆ったベルト通し。
【考案の詳細な説明】
【技術分野】
【０００１】本考案は楽器二胡の立奏に於いて、楽器に対してキズを与えず、また楽器の大きさや体型、動きに応じて自由に調節でき、音色を損なわないネットに関するものである。
【背景技術】
【０００２】二胡を立奏する為に使用するものの多くは主にプラスチックで楽器をはさみこむ為、楽器にキズがついたり音色が損なわれる恐れがあった。ネット状に編んだコード（紐）の上に楽器をのせ、ベルト状に編み交差させた２本のコードにはさみ込む事により、これらの問題が解決した。
【考案の開示】
【考案が解決しようとする課題】
【０００３】楽器にキズをつけず、楽器の大きさや体型、動き、位置に応じて自由に調節でき、音色を損なわない点である。
【課題を解決するための手段】
【０００４】ネット状に編んだコード（紐）の上に楽器を置き、ベルト状に編み交差させた２本のコードにはさみ込む事である。
【考案の効果】
【０００５】楽器にキズがつかず、音色が損なわれる恐れがなくなる。また、楽器の大きさや位置、体型、動きにあわせて自由に調節する事ができる。
【考案を実施するための最良の形態】
【０００６】ベルトに使用するコード（紐）の太さは楽器の重さに耐えうるもので、ある程度の柔らかさを要する。ネット状・ベルト状に編み込む部分は、楽器の大きさによって幅を工夫し、ベルト通しにしっかりとくくりつける。
【図１】
0003126715.tif 000003
【手続補正書】
【提出日】平成18年8月9日(2006.8.9)
【手続補正１】
【補正対象書類名】実用新案登録請求の範囲
【補正対象項目名】全文
【補正方法】変更
【補正の内容】
【実用新案登録請求の範囲】
【請求項１】
ベルト通しにくくりつけた楽器二胡立奏用ネット。
【手続補正２】
【補正対象書類名】明細書
【補正対象項目名】全文
【補正方法】変更
【補正の内容】
【考案の詳細な説明】
【技術分野】
【０００１】本考案は楽器二胡の立奏に於いて、楽器に対してキズを与えず、また楽器の大きさや体型、動きに応じて自由に調節でき、音色を損なわないネットに関するものである。
【背景技術】
【０００２】二胡を立奏する為に使用するものの多くは主にプラスチックで楽器をはさみこむ為、楽器にキズがついたり音色が損なわれる恐れがあった。ネット状に編んだコード（紐）の上に楽器をのせ、ベルト状に編み交差させた２本のコードにはさみ込む事により、これらの問題が解決した。
【考案の開示】
【考案が解決しようとする課題】
【０００３】楽器にキズをつけず、楽器の大きさや体型、動き、位置に応じて自由に調節でき、音色を損なわない点である。
【課題を解決するための手段】
【０００４】ネット状に編んだコード（紐）の上に楽器を置き、ベルト状に編み交差させた２本のコードにはさみ込む事である。
【考案の効果】
【０００５】楽器にキズがつかず、音色が損なわれる恐れがなくなる。また、楽器の大きさや位置、体型、動きにあわせて自由に調節する事ができる。
【考案を実施するための最良の形態】
【０００６】ベルトに使用するコード（紐）の太さは楽器の重さに耐えうるもので、ある程度の柔らかさを要する。ネット状・ベルト状に編み込む部分は、楽器の大きさによって幅を工夫し、ベルト通しにしっかりとくくりつける。
【図面の簡単な説明】
【０００７】
【図１】ベルト通しにベルトを通し、ネット状に編んだコード（紐）にベルト状に編んだ２本のコードを交差させくくりつけた平面図である。
【図２】本考案の楽器二胡立奏用ネットを使用し、演奏している様子を示した正面図である。
【符号の説明】
【０００８】１．ベルト通し  ２．楽器を置くネット部分
３．ベルト状に編み交差させた部分  ４．ベルト
【手続補正３】
【補正対象書類名】図面
【補正対象項目名】全図
【補正方法】変更
【補正の内容】
【図１】
0003126715.tif 000004
【図２】
0003126715.tif 000005